(57)【要約】【課題】  表示スペースを広げることなく演出と入賞の可否とを表示する。【解決手段】  スロットマシン１０には、複数の縦リールが収納されている。縦リールは、表示窓１８から見て入賞の可否を表示する図柄を縦方向に回転させる。このうちのいずれかの縦リール２３には、演出を表示するための文字や図柄を横方向に回転させる横リール４３〜４５が内蔵されている。各横リール４３〜４５には、外周に白抜きの文字や図柄が表示され、また内部にＬＥＤ４６〜４８が配されている。ＬＥＤ４６〜４８は、縦リール２３が回転中に点灯することで、白抜きの文字や絵柄を縦リール２３の外周に投影する。【選択図】        図６
2007061465.tif 000002
【特許請求の範囲】
【請求項１】
複数種類の図柄が配された透光性を有する図柄シートが外周面に設けられた複数の縦リールを表示窓の奥で横方向に並べて設け、各縦リールを前記表示窓から見て縦方向に回転させて、前記縦リールの回転が全部停止したときに、前記表示窓に表示される図柄の組み合わせによって入賞の有無を決定する回胴式遊技機において、
前記複数の縦リールのうちの少なくとも１つの縦リールの内部で横方向に回転され、外周面に演出用の文字や図柄が表示されている横リールと、
前記横リールの内部に設けられ、前記演出用の文字や図柄を前記図柄シートに投影する照明手段と、
を備えたこと特徴とする回胴式遊技機。
【請求項２】
前記横リールは、前記表示窓を通して視認可能な前記縦リールの図柄にそれぞれ対応して複数設けられていることを特徴とする請求項１記載の回胴式遊技機。
【発明の詳細な説明】
【技術分野】
【０００１】
本発明は、複数の図柄を外周に配列したリールを回転して遊技する回胴式遊技機に関するものである。
【背景技術】
【０００２】
従来、外周に複数の図柄を表示した複数のリールを個別に回転して、リールの回転を停止するリールの数だけ設けたストップボタンの操作により各リールが停止したときに表示窓に露呈される図柄が所定の組み合わせになると、所定の価値を遊技者に付与する回胴式遊技機、すなわちスロットマシンが知られている。
【０００３】
このようなスロットマシンでは、リールの内側に照明装置を設け、種々の演出に用いることが広く行われている。例えば、所定位置の図柄を照明装置で照明することにより、特定の遊技状態になったことを告知したり、入賞の予告としたりするものである。また、遊技とは直接関わらない演出用の表示部を設け、例えば、その表示部に表示される文字や絵柄により入賞の予告等をするなども広く行われている。そして、演出用の表示部と、回転リール内部の照明装置の点灯に連続性などの関連性をもたせ、より複雑で興味溢れる演出を行うことが可能な遊技機も知られている（特許文献１）。
【０００４】
ところで、従来のスロットマシンでは、リールの回転が停止した時点で即座に入賞ライン上にシンボルが表示されてしまうことから、ゲームが単調になりやすいという欠点があった。また、１リールに割り当てられるシンボルの種類や個数をあまり多くすることはできず、ゲームの趣向に多様性を与えることが困難であった。このような欠点を解決するために、外リールと、この外リールの回転軸と同軸線上で回転する内リールとの二重リールで構成し、外リールの外周の１コマに開口を設け、この開口を通して内リールの外周に設けた１コマの絵柄を表示窓に表示するようにしたゲームマシンが提案されている（特許文献２）。
【特許文献１】特開２００２−１３６６５１号公報
【特許文献２】特開平３−６０６８１号公報
【発明の開示】
【発明が解決しようとする課題】
【０００５】
しかしながら、特許文献１に記載の発明では、入賞か否かを表示する表示部とは別に、演出用の表示部を設ける必要があるため、表示窓の設置スペースを広げることになり、スロットマシン自体が大型化する。また、特許文献２に記載の発明では、リールを二重構造にすることができるのでリール設置スペースを広げることはないものの、この構成では開口が表示窓に表示される位置で外リールの回転を止めないと内リールの絵柄を表示することができず、よって、リール回転中に必要な演出表示が行えないという問題があった。
【０００６】
本発明は、上記問題点を考慮してなされたもので、表示用のスペースを広げることなく、演出と入賞の可否とを表示するように工夫した回胴式遊技機を提供することを目的とする。
【課題を解決するための手段】
【０００７】
上記目的を達成するために、本発明の回胴式遊技機では、複数の縦リールのうちの少なくとも１つの縦リールの内部で横方向に回転され、外周面に演出用の文字や図柄が配された横リールと、前記横リールの内部に設けられ、前記演出用の文字や図柄を前記図柄シートに投影する照明手段と、を備えたものである。
【０００８】
縦リールは、横軸を中心に回転して表示窓から見ると図柄シートが縦方向に回転する。横リールは、縦軸を中心に回転して演出用の文字や図柄が横方向に回転する。横リールは、縦リールの表示窓側の外周面と縦リールの回転軸（横軸）との間に配置し、また、照明手段は横リールの表示窓側の外周面と横リールの回転軸（縦軸）との間に配置するのが望ましい。
【０００９】
これによれば、縦リールが回転中に、照明手段を点灯させれば、その照明光が横リールの外周面を透過して演出用の文字や図柄が縦リールの外周面に投影される。照明により横リールの図柄や文字を縦リールに投影して表示窓から視認させるためには、縦リールの図柄シートを、透光性を有するシートにする必要がある。そこで、図柄シートとしては、例えば透明なセルロイド板の内周面に複数の図柄を回転方向に所定の間隔で並べて印刷し、さらに、その内周面に白色のマスク層を全面に印刷した構成にするのが望ましい。
【００１０】
これによれば、縦リールの絵柄は、透明なセルロイド板を透して表示窓から視認することができる。そして、照明手段が消灯しているときには、縦リールの最も内側に白色のマスク層があるため、横リールの文字や図柄を表示窓から視認することができない。照明手段が点灯すると、その照明光が横リールの文字や絵柄を縦リールの白色のマスク層に投影し、表示窓から視認することができる。この場合、縦リールが停止していると、縦リールの図柄に重なって視認し難くなる。しかし、縦リールを回転させれば、横リールの文字や絵柄が見やすくなる。勿論、図柄シートの図柄の間隔を広げるほど横リールの文字や絵柄が見やすくなる。また、縦リールの回転速度を早くしても同じ効果が得られる。
【００１１】
縦リールは、所定の確率で入賞の抽選を行う主制御装置により回転及び停止が制御される。主制御装置は、入賞確定に関わるものを制御する制御装置である。横リールの外周には、同様の演出用シートが設けられている。この演出用シートには、複数の文字や図柄が印刷されている。したがって、横リールの回転位置を変えることで演出を変化させることができる。この横リールは、横リール駆動手段により回転及び停止が制御される。横リール駆動手段は、縦リールが回転中に演出を行うか否かを決める演出用の副制御装置で制御される。この副制御装置は、入賞確定に関係しないものを制御する制御装置である。照明手段は、発光源と、発光源の点灯又は消灯を制御する照明駆動手段とで構成される。発光源としては、ＬＥＤやランプなどで構成される。この照明駆動手段も、演出用制御装置の演出に応答して発光源の点灯及び消灯が制御される。
【００１２】
演出としては、例えば「チャンス」などの文字を縦に表示したい場合がある。この場合には、横リールを縦方向に複数並べて設け、各横リールに縦書きの文字列を構成する各文字を横リールごとに分けて表示するのが好適である。また、表示窓に表示される縦リールの図柄のコマ範囲に合わせて横リールの文字が表示されるように、横リールを複数配列してもよい。また、縦リールは複数設けられているので、これら縦リールの全てに横リールを設けても良いし、これら縦リールのいずれかに横リールを設けても良い。
【発明の効果】
【００１３】
本発明では、複数の縦リールのうちの少なくとも１つの縦リールの内部で横方向に回転され、外周面に演出用の文字や図柄が配された横リールと、前記横リールの内部に設けられ、前記演出用の文字や図柄を前記図柄シートに投影する照明手段とを備えたから、表示用のスペースを広げることなく、演出と入賞の可否とを表示することができる。横リールを複数設けた発明によれば、演出の多様性を与えることができる。また、二重の縦リールの内側の縦リールで演出表示するものと比べて、縦リールでは、表示窓の広さが縦方向に、例えば絵柄を３個分表示する広さであるため、縦３コマ分の文字列を内側の縦リールに印刷する必要があって演出のバリエーションが少なくなる欠点があるのに対し、複数の横リールを用いると、各コマごとに文字を変えることができるので演出のバリエーションを増やすことができる。
【発明を実施するための最良の形態】
【００１４】
本発明を用いた遊技機の一実施例であるスロットマシン（回胴式遊技機）１０は、図１及び図２に示すように、リールユニットや電気部品等を組み込んだ筺体１１を備えている。筺体１１は、前面扉１２と収納箱１３とからなる。前面扉１２は、上・下扉１４，１５とに分割されており、上・下扉１４，１５は、ヒンジ１６，１７により個別に開閉される。
【００１５】
上扉１４には、透明板となっている表示窓１８が設けられている。表示窓１８からは、当選図柄を表示するための第１〜第３縦リール２１〜２３の一部を視認することができる。なお、縦リール２１〜２３ごとに分けて視認することができるように表示窓１８を複数の窓で構成してもよい。
【００１６】
周知のように、第１〜第３縦リール２１〜２３の外周には、複数種類の当選図柄を含む図柄が一定ピッチで配列され、１リールにつき３個の図柄は、表示窓１８を通して視認することができる。これら第１〜第３縦リール２１〜２３は、横に並べて配されており、横軸を中心に各々回転し、各縦リールの図柄を縦方向に回転させる本発明の縦リールを構成する。なお、縦リール２１〜２３は、回転軸が同軸上となるように配置されている。
【００１７】
下扉１５には、メダルを投入するためのメダル投入口２５、スタートレバー２６、リールの動作を停止させるための第１〜第３ストップボタン２７〜２９、メダル受け皿３０、獲得したメダルを前記メダル受け皿３０に払い出す払い出し口３１などが設けられている。
【００１８】
メダル投入口２５に所定枚数のメダルを投入してスタートレバー２６を操作すると、第１〜第３縦リール２１〜２３が一斉に回転する。その後、第１〜第３ストップボタン２７〜２９を順番に操作することで第１〜第３縦リール２１〜２３の回転が停止する。このとき、リール毎に表示された図柄を一個ずつ組み合わせてなる、例えば横３本斜め２本の合計５本の入賞有効ラインのうちのいずれかに、予め決められた図柄（特定図柄）が揃うことで、払い出し口３１からメダルが払い出される。
【００１９】
収納箱１３は、上下２段に仕切られた上・下収容部３４，３５を持っている。上収容部３４は上扉１４を開放することで内部が露呈され、また、下収容部３５は下扉１５を開放することで内部が露呈される。
【００２０】
上収容部３４には、リールユニット３６が組み込まれており、そのリールユニット３６の奥に、主制御基板などを封印した封印ケース（図示なし）が着脱自在に取り付けられている。下収容部３５には、払い出し口３１にメダルを払い出すメダルホッパー３２などが組み込まれており、メダルホッパー３２の上には、電源ボックス３３が取り付けられている。電源ボックス３３には、電源基板が内蔵されており、電源基板は、スロットマシン１０全体の電源供給を統括的に制御する。
【００２１】
図３に示すように、リールユニット３６は、図柄を縦方向に回転させる第１〜第３縦リール２１〜２３と、図柄や文字を横方向に回転させる横リール機構部３７と、及び、これら第１〜第３縦リール２１〜２３と横リール機構部３７とを支持する支持部３８とで構成されている。
【００２２】
第１〜第３縦リール２１〜２３は同様な構成をしており、以下、縦リールの構成については、第３縦リール２３を例に説明する。図４に示すように、第３縦リール２３は、図柄シート３９と、図柄シート３９が巻きつけられるホイール４０と、ホイール４０を介して図柄シート３９を縦方向（垂直方向）に回転させるモータ４１とを備えており、モータ４１は、出力軸を横方向（水平方向）に向けた姿勢で支持板４２に固定されている。モータ４１としては、入力されるパルス数に比例した回転角度が得られるステッピングモータが用いられている。図柄シート３９は、透明なセルロイド板の内周面に複数の図柄を回転方向に所定の間隔で並べて印刷し、さらに、その内周面に白色のマスク層を全面に印刷した帯状の光透過シートである。
【００２３】
横リール機構部３７は、図５及び図６に示すように、３個の第１〜第３横リール４３〜４５と、各横リール４３〜４５ごとに設けた第１〜第３ＬＥＤ群４６〜４８、及び、これらＬＥＤ群４６〜４８と横リール４３〜４５とを支持する支持板４９とで構成されており、これらは、第３縦リール２３の内部、詳しくは第３縦リール２３のホイール４０の表示窓１８側の外周とその回転軸４１ａとの間に配されている。
【００２４】
第１〜第３横リール４３〜４５は、上から順に配されており、これらは全て同様な構成をしている。横リール４３は、演出用シート５０と、演出用シート５０が巻きつけられる横ホイール５１と、横ホイール５１を介して演出用シート５０を横方向（水平方向）に回転させるモータ５２とを備えている。モータ５２は、出力軸を縦方向（垂直方向）に向けた姿勢で支持板４９に固定されている。横ホイール５１は、第３縦リール２３の内部でその回転を邪魔しないように小径になっている。モータ５２としては、入力されるパルス数に比例した回転角度が得られるステッピングモータが用いられている。なお、図５及び図６では、横リール用の各モータ５２を、出力軸が同軸上になるように配しているが、こうすると中央の横リール４４が縦リール２３から離れるため、中央の横リール４４を前に出して配置しても良い。
【００２５】
図７に示すように、第１〜第３横リール４３〜４５の演出用シート５０ａ〜５０ｃには、縦書きの文字列を構成する文字が各横リールに分けて白抜き文字となるように表示されている。例えば、第１横リール４３の演出用シート５０ａには、空白を挟んだ両側に「チャ」と「大」が、第２横リール４４の演出用シート５０ｂには空白を挟んだ両側に「ン」と「当」が、さらに、第３横リール４５の演出用シート５０ｃには空白を挟んだ両側に「ス」と「り」がそれぞれ白抜き文字として表示されている。このような演出用シート５０は、文字や図柄が白抜きとなるように透明なセルロイド板の内周面に遮光性の黒色のマスク層を印刷した帯状のシートである。これにより、第１〜第３横リール４３〜４５の回転位置を変えることで、表示窓１８に投影する表示位置に「チャンス」と「大当り」との２種類の文字列を縦に表示することができる。なお、演出用シート５０ａ〜５０ｃに印刷する演出用の文字としては、「チャンス」と「大当り」に限らず、何でも良い。また、文字に限らず演出用の図柄でもよい。
【００２６】
各ＬＥＤ群４６〜４８は、２個のＬＥＤからなり、本発明の照明手段を構成している。ＬＥＤ群４６〜４８を点灯させれば、その照明光が横リール４３〜４５の演出用シート５０ａ〜５０ｃを透過して演出用の文字が縦リールの図柄シート３９に投影される。なお、ＬＥＤとしては、１個でも良いし、３個以上でもよい。また、照明手段としては、ＬＥＤに限らず、ランプなどでもよい。
【００２７】
なお、各横リール４３〜４５は通常は、空白を表示位置に揃えた回転位置の状態となっている。ここで、横リール４３〜４５は、各文字が表示窓１８に表示される縦リール２１〜２３の図柄のコマ範囲１８ａ〜１８ｃ（図５、図９参照）に合うように、配置されている。ここで、表示窓１８から横リール４３〜４５の文字が見やすくなるように、３個の横リール４３〜４５のうちの上下の横リール４３，４５を斜めに配しても良い。
【００２８】
スロットマシン１０は、図８に示すように、大別して上収容部３４に設けた主制御基板６０、及び、電源基板６１とで電気的構成がなされている。スロットマシン１０の作動は、基本的に主制御基板６０によって管制される。電源基板６１は、電源ボックス３３に内蔵されており、電源スイッチ６２、変更ボタン６３、設定キースイッチ６４などがそれぞれ接続されている（図１及び図２参照）。
【００２９】
主制御基板６０には、ＣＰＵ６５、ＲＯＭ６６、電子抽選部６７、当選役決定部６８が設けられている。ＲＯＭ６６は、ＣＰＵ６５に接続されており、ＣＰＵ６５で実行する、演出表示用のプログラムや遊技実行プログラム等の制御プログラムや、これらプログラムを実行する際に必要な制御データ等が記憶されている。電子抽選部６７は、乱数発生器を備え、乱数発生器で発生した乱数から１つの乱数を抽出する。抽出した乱数は、当選役決定部６８に送られ、当選役決定部６８は、ハズレ及び複数種類の当選役のいずれかになるかを、抽出した乱数に基づいてＲＯＭ６６に記憶した当選テーブルを参照して決定し、当選役信号をＣＰＵ６５に送る。
【００３０】
３個のストップボタン２７〜２９、スタートレバー２６、通過検知センサ６９、スピーカー７０、リール駆動コントローラ７１、ＬＣＤ表示部７２、及び、メダルホッパー３２などとの間で電気的接続が個別になされており、３個のストップボタン２７〜２９、スタートレバー２６、通過検知センサ６９からそれぞれ個別に入力される信号に基づいて、スピーカー７０、リール駆動コントローラ７１、メダルホッパー３２、及び、ＬＣＤ表示部７２をそれぞれ駆動制御する。
【００３１】
通過検知センサ６９は、メダル投入口２５から投入されたメダルを検知し、メダル検知信号をＣＰＵ６５に送る。ＣＰＵ６５は、メダル検知信号に基づいて計数し、入賞有効ラインを有効化する本数を決定する。
【００３２】
スタートレバー２６は、メダルが投入された後に、遊技スタート信号をＣＰＵ６５に入力する。ＣＰＵ６５は、遊技スタート信号を受けて、電子抽選部６７で乱数をサンプリングさせ、当選役決定部６８で当選役を決定させるとともに、ＲＯＭ６６に記憶された遊技を実行させるためのプログラムに基づいてリール駆動コントローラ７１を制御し、当選役の表示を行う為に第１〜第３縦リール２１〜２３を個別に回転させるとともに、第１〜第３横リール４３〜４５の回転も個別に制御する。
【００３３】
３個のストップボタン２７〜２９は、各縦リール２１〜２３の回転を停止させるためのボタンであり、操作されることでＣＰＵ６５に停止信号をそれぞれ送る。また、各横リール４３〜４５に内蔵した第１〜第３ＬＥＤ群４６〜４８もドライバ８０〜８２を介してＣＰＵ６５に接続されている。
【００３４】
一般的に３個のストップボタン２７〜２９は、第１〜第３縦リール２１〜２３の順に停止させるように操作される。ＣＰＵ６５は、第１〜第３縦リール２１〜２３が回転中のみ停止信号を受け付け、停止信号を受けることに応答して、当選役に対応する絵柄にすべく、第１〜第３縦リール２１〜２３の停止を個別に制御する。
【００３５】
ストップボタン２７，２８の操作により第１縦リール２１、第２縦リール２２が順に停止する。そして、図９に示すように、第３縦リール２３の絵柄１個を残して第１及び第２縦リール２１，２２の図柄のうちの特定の図柄が入賞有効ライン上に揃うリーチ目のときに、ＣＰＵ６５は、演出表示を行うために、無表示の回転位置から「チャンス」を表示させる回転位置に第１〜第３横リール４３〜４５を回転させる制御を行う。そして、各横リール４３〜４５が前記回転位置に到達する前、又は回転と同時、あるいは回転直後にドライバ８０〜８２を介して第１〜第３ＬＥＤ群４６〜４８を同時に点灯させる。
【００３６】
これにより、第３縦リール２３が回転中に表示窓１８のうちのその回転範囲に「チャンス」という縦文字列が静止して視認することができる。また、その後に、「大当り」を表示する回転位置に第１〜第３横リール４３〜４５を回転させる。さらに、このような制御を所定時間ずつ交互に行うことで、「チャンス」と「大当り」とを交互に表示するように演出してもよい。また、演出としては、第１〜第３ＬＥＤ群４６〜４８を順番に点灯させるなどの制御を行うことで、縦文字列を一文字ずつ表示するようにしてもよい。
【００３７】
ストップボタン２９の操作により第３縦リール２３が停止することで、縦リール２１〜２３の全てが停止する。このとき、ＣＰＵ６５は、ＬＥＤ群４６〜４８の全てを消灯させるとともに、無表示の回転位置に第１〜第３横リール４３〜４５を戻す。その後にＣＰＵ６５は、当選役の種類に応じてメダルの払い出しの有無を決定し、払い出しが必要か否か、及びそのときの払出枚数を、ＲＯＭ６６に記憶したテーブルを参照して決定し、払い出しが必要な場合には決定した枚数に応じた払出信号をメダルホッパー３２に送る。メダルホッパー３２は、払出信号に応じて規定枚数の配当メダルをメダル受け皿３０に払い出す。なお、第１〜第３横リール４３〜４５を無表示の回転位置にしておくことで、第１〜第３ＬＥＤ群４６〜４８で、第１〜第３縦リール２１〜２３の図柄を照明することもできる。
【００３８】
上記実施形態では、３個の横リール４３〜４６で演出表示を行っているが、本発明ではこの個数に限定されることはなく、横リールを１個で構成しても良いし、２個、あるいは４個以上で構成してもよい。また、第３縦リール２３のみに横リールを設けているが、これに限らず、全ての縦リール２１〜２３に設けてもよいし、第１縦リール２１のみ、あるいは第２縦リール２２のみ、あるいはこれらの組み合わせにより設けても良い。
【００３９】
また、上記実施形態では、演出用シート５０ａを白抜き文字としたが、これに限らず、文字の周囲が投影されるようにし、文字部分は縦リールに投影せずに陰となるようにしてもよい。
【００４０】
上記実施形態では、横リールでの演出表示をリーチ目となったときに行うようにしているが、本発明ではこれに限られるものではなく、第１リール停止前、又は第２リール停止前に表示してもよい。
【００４１】
また、上記実施形態では、当選役決定部６８で決定するハズレ及び複数種類の当選役に関わらず、リーチ目となったときに横リールでの演出表示を行うようにしているが、別の実施例としては、演出抽選部を設け、当選役決定部６８でハズレ以外の当選役が決定したときに、演出抽選部で演出を行うか否かを抽選により決定し、演出を行うことに決定したときのみ横リールでの演出表示を行うようにしてもよい。この場合、全ての縦リールが回転中に、横リールを回転させてチャンスなどの文字を投影させる。このようにすれば、遊技者に対して、縦リールが回転中に当選役のうちの大役に当選しているのではないかと期待度を高めることができ、よって、当選役図柄が入賞ラインに止まるようなタイミングで縦リールを止める操作を行わせることができ、面白みを抱かせることができる。勿論、当選役決定部６８でハズレが決定しても、横リールでの演出表示を行うか否かの演出抽選を演出抽選部で行うようにしてもよい。この場合、横リールでの演出表示が行われても、当たりかハズレかが分からないので、新たな面白さが増す。
【００４２】
上記各実施形態では、横３本斜め２本で計５本の入賞有効ラインに揃う図柄を表示する表示窓１８を備えたスロットマシン１０について説明しているが、本発明では５本以外の入賞有効ラインをもつスロットマシンにも適用することができ、また、メダルの代わりにパチンコ球で遊技を行うパロット（登録商標）と称するタイプのスロットマシンにも適用することができる。さらには、リール駆動タイプであれば、スロットマシンに限らず、当たりハズレなどの役を表示する表示窓を備えた他の遊技機にも適用することができるのは言うまでもない。
【図面の簡単な説明】
【００４３】
【図１】本発明を実施したスロットマシンを示す斜視図である。
【図２】上・下扉を開放したスロットマシンを示す斜視図である。
【図３】横リールを組み込んだリールユニットの要部を示す斜視図である。
【図４】図３で説明したリールユニットのうちの縦リールの要部を示す断面図である。
【図５】図３で説明したリールユニットのうちの横リールの要部を示す断面図であり、表示窓方向から見ている。
【図６】図３で説明したリールユニットのうちの横リールの要部を示す断面図であり、縦リールの回転軸方向から見ている。
【図７】横リールの各演出用シートの一部を示す展開図である。
【図８】スロットマシンの電気的構成を示すブロック図である。
【図９】横リールでの演出表示を行っている状態を示す説明図である。
【符号の説明】
【００４４】
１０  スロットマシン
１８  表示窓
２１〜２３  縦リール
３９  図柄シート
４３〜４５  横リール
４６〜４８  ＬＥＤ群
５０ａ〜５０ｃ  演出用シート
【図１】
2007061465.tif 000003
【図２】
2007061465.tif 000004
【図３】
2007061465.tif 000005
【図４】
2007061465.tif 000006
【図５】
2007061465.tif 000007
【図６】
2007061465.tif 000008
【図７】
2007061465.tif 000009
【図８】
2007061465.tif 000010
【図９】
2007061465.tif 000011